(57)【要約】      （修正有）【課題】１本の指輪用金属線材を切り分けて複数個の指輪を素人にも製作できるようにした指輪用リングを提供する。【解決手段】指輪用リング１は、複数の指輪を形成しえる長さの指輪用金属線材よりなるリングであって、このリングの周面には１個の指輪に対応する長さ毎に切断時のガイドとなる段部２を形成し、隣接する段部間で１単位とし、各段部で１単位の線材を切り分けて複数個の指輪を作成できるようにしたものである。【選択図】図１
0003143127.tif 000002
【実用新案登録請求の範囲】
【請求項１】
複数の指輪を形成しえる長さの指輪用金属線材よりなるリングであって、このリングの周面には１個の指輪に対応する長さ毎に切断時のガイドとなる段部を形成し、隣接する段部間で１単位とし、各段部で１単位の線材を切り分けて複数個の指輪を作成できるようにした、指輪用リング。
【請求項２】
段部は、溝又は半径方向の壁面とした、請求項１記載の指輪用リング。
【請求項３】
指輪用金属線材は、周面に形成された隣接する段部間における１単位毎の太さが二種以上とした、請求項１記載の指輪用リング。
【請求項４】
１単位の長さは、太い部分を細い部分よりも長くした、請求項３記載の指輪用リング
【考案の詳細な説明】
【技術分野】
【０００１】
この考案は、一つの大きなリングから複数の指輪を製作できるようにした、指輪用リングに関するものである。
【背景技術】
【０００２】
通常の指輪は、指輪１個分の長さに切断したまっすぐな指輪用金属線材を、プロの技術者が曲げ加工を施して製造する。ペアリングと称される指輪も同様であって、単に二つの指輪のデザインが対になっているだけのものである。
また、まっすぐな指輪用金属線材を曲げ加工するためには専門的な技術が必要であり、素人とが行うことはきわめて困難である。
【考案の開示】
【考案が解決しようとする課題】
【０００３】
この考案は、１本の指輪用金属線材を切り分けて複数個の指輪を素人にも製作できるようにすることを課題とするものである。
この考案は、上記課題を解決することによって、カップルや仲間たちが１本の線材を切り分けて、自ら製作した指輪を持ち、これを身につけることで、カップルや仲間たちの一体感を増すツールとなり、加えてモノづくりの楽しさを実感できることを究極の目的とするものである。
【課題を解決するための手段】
【０００４】
この考案の指輪用リングは、複数の指輪を形成しえる長さの指輪用金属線材よりなるリングであって、このリングの周面には１個の指輪に対応する長さ毎に切断時のガイドとなる段部を形成し、隣接する段部間で１単位とし、各段部で１単位の線材を切り分けて複数個の指輪を作成できるようにしたものである。
前記段部は切断時のガイドとなる態様であればよく、例えば溝や半径方向の壁面などが採用できる。
前記指輪用金属線材は、周面に形成された隣接する段部間における１単位毎の太さが二種以上とし（請求項３）、太い部分の長さを細い部分の長さよりも長くする（請求項４）ことが好ましい。このように構成することにより、太く長い部分からは男性用の指輪を作り、細く短い部分からは女性用の指輪を作ることができる。
なお、線材の太さを二種以上とした場合、線材の太さの異なる部分の接合部に、半径方向の壁が形成され、これが前記段部となる。
【０００５】
前記段部は、切り分け位置の目安と切断時のガイドとなるものであるから、金属線材の全周に亘って形成する必要はなく、一部に形成してあればよい。
前記指輪用リングは、複数の指輪を制作するため、最低２単位の長さが必要であるが、１０単位、２０単位という大きなリングとすることもできる。
なお、金属線材の断面形状、素材は適宜選択することができる。
【考案の効果】
【０００６】
この考案の指輪用リングは１単位毎に段部が形成してある。この段部は切り分ける位置の目印となると共に、糸鋸などの工具をあてがって切断する際のガイドとなる。したがって、段部をガイドとして指輪用リングを切断することにより、所定の長さの指輪素材を容易に切り分けることができる。
この考案の指輪用リングは、リングであるから切り分けた１単位の指輪素材は湾曲している。曲げ加工する際、まっすぐな金属線材を曲げるためには高度な技術が必要であるが、湾曲した素材であれば、治具にあてがう際に安定するので、素人でも曲げ加工を行うことができる。
曲げ加工の後、端部を溶接してリングとし、その後治具を用いて成形することにより真円の指輪を得ることができる。
【考案を実施するための最良の形態】
【０００７】
図１、図２に示す指輪用リング１は、シルバーやゴールドなどの指輪に適した金属線材をリングとしたものである。そして、この指輪用リング１は男性の平均的な指サイズに対応する長さと、女性の平均的な指サイズに対応する長さの合計長さよりも僅かに長い金属線材で形成してあり、男性の指サイズに対応する部分１ａは太く、女性の指サイズに対応する部分１ｂは細く形成してあり、両者の境界部分２箇所には半径方向の壁２が形成され、この壁２が段部となっている。
前記二つの壁の間が１単位である。そして、男性の指サイズに対応した部分１ａの一単位は女性の指サイズに対応した部分１ｂの一単位よりも長い。
【０００８】
以上のように構成された指輪用リング１の使用方法は以下のとおりである。
この指輪用リングの使用者、通常は購入者、は自ら以下の作業を行って二つの指輪を製作する。
まず、前記壁２に糸鋸をあてがい、指輪用リングを二つに切り分けて２本の指輪素材３を得る。一方の指輪素材は太くて長い男性用であり、他方の指輪素材は細くて短い女性用である。
次に、各指輪素材３を丸棒状の治具４にあてがってハンマーで軽くたたきながら曲げ加工を行う。指輪素材３はリングから切り出したものであるから湾曲しており、治具にあてがって安定して保持することが容易であるから、素人でも無理なく曲げ加工を行うことができる。
曲げ加工の後、両端部を接触させてバーナーで溶接してリングとする。次いで、先細丸棒状の治具に嵌めて正円に成形する。
以上の作業で２個の指輪が完成する。
【０００９】
上記実施形態においては、男女のペアリングを製作するために２単位の指輪用リングとしたが、単位数は２単位以上であれば任意である。また、１単位の長さや太さも２以上適宜採用することができる。
【００１０】
図４，図５は１つのリングから４つの指輪を得られるようにしたものであって、男性用の太い部分１ａが２単位、女性用の細い部分１ｂが２単位としてある。太い部分１ａと細い部分１ｂの境界には図１の実施例と同様に半径方向の壁２が形成してあり、これが段部となる。そして、２単位連続している太い部分１ａの1単位分の境界には溝５が形成してあり、この溝５が段部となる。細い部分１ｂも同様である。
【産業上の利用可能性】
【００１１】
この考案は、１つの大きなリングから複数個の指輪を素人が製作できるものであり、産業上の利用可能性を有するものである。
【図面の簡単な説明】
【００１２】
【図１】この考案実施例の正面図
【図２】同じく平面図
【図３】加工作業を示す図
【図４】この考案の別の実施例の正面図
【図５】同じく平面図
【符号の説明】
【００１３】
１    指輪用リング
１ａ  太い部分
１ｂ  細い部分
２    壁
３    指輪素材
４    治具
５    溝
【図１】
0003143127.tif 000003
【図２】
0003143127.tif 000004
【図３】
0003143127.tif 000005
【図４】
0003143127.tif 000006
【図５】
0003143127.tif 000007